(57)【特許請求の範囲】
【請求項１】
表示機能を有する電子機器であって、
立体的外形を有する本体部と、
前記本体部の表面形状に沿って非一様な湾曲状態で立体的かつ連続的に取り付けられ、湾曲状態の変化部を境界として幾何学的に区別された複数の表示領域を有するフィルム液晶表示手段と、
を備えることを特徴とする電子機器。
【請求項２】
請求項１に記載の電子機器であって、
前記複数の表示領域に個別に画像表示を行わせる表示制御手段、
をさらに備えることを特徴とする電子機器。
【請求項３】
請求項２に記載の電子機器であって、
前記表示制御手段は、
前記フィルム液晶表示手段の全表示領域に対応したフレームメモリである画像メモリ、
を備え、
前記画像メモリの各記憶領域を前記複数の表示領域に対応させて、前記複数の表示領域における表示制御を行うことを特徴とする電子機器。
【請求項４】
表示機能を有する電子機器であって、
立体的外形を有する本体部と、
前記本体部の表面形状に沿って立体的かつ連続的にとりつけられ、比較的小さい曲率を持つ小曲率表示領域と、比較的大きい曲率を持つ大曲率表示領域とを含む複数の表示領域が、曲率の変化部を境界として幾何学的に区別されてなるフィルム液晶表示手段と、
前記小曲率表示領域と前記大曲率表示領域とに個別に画像を表示させる表示制御手段と、
を備えることを特徴とする電子機器。
【請求項５】
請求項４に記載の電子機器であって、
前記小曲率表示領域は平面表示領域であり、
前記大曲率表示領域はゼロでない曲率を有する曲面表示領域となっていることを特徴とする電子機器。
【請求項６】
請求項４または請求項５に記載の電子機器であって、
前記表示制御手段は、ステータス情報を前記大曲率表示領域に表示させることを特徴とする電子機器。
【請求項７】
請求項４または請求項５に記載の電子機器であって、
前記表示制御手段は、前記小曲率表示領域と前記大曲率表示領域とのうち、前記小曲率表示領域に絵柄画像を優先表示させることを特徴とする電子機器。
【請求項８】
請求項４または請求項５に記載の電子機器であって、
ネットワーク接続手段と、
電子メールのメール処理手段と、
をさらに備え、
前記表示制御手段は、前記メール処理手段で処理するメール本文を、前記小曲率表示領域に表示させることを特徴とする電子機器。
【請求項９】
請求項４または請求項５に記載の電子機器であって、
ネットワーク接続手段と、
前記フィルム液晶表示手段にホームページのコンテンツ情報を表示可能なウェブブラウザと、
を備え、
前記表示制御手段は、前記コンテンツ情報を前記小曲率表示領域に表示させることを特徴とする電子機器。
【請求項１０】
請求項４または請求項５に記載の電子機器であって、
前記小曲率表示領域は、平面視で略長方形状であることを特徴とする電子機器。
【請求項１１】
請求項４または請求項５に記載の電子機器であって、
前記小曲率表示領域の面積は、前記大曲率表示領域の面積より大きく形成したことを特徴とする電子機器。
【請求項１２】
請求項４または請求項５に記載の電子機器であって、
前記小曲率表示領域の少なくとも一部の表面領域の上に配置されたタッチパネル、
をさらに備え、
前記少なくとも一部の表面領域に、操作者によって指示されるイベント毎のオブジェクトの画像が表示されることを特徴とする電子機器。
【請求項１３】
請求項４または請求項５に記載の電子機器であって、
前記表示制御手段は、常時表示する情報を前記小曲率表示領域に表示させることを特徴とする電子機器。
【請求項１４】
請求項１または請求項４に記載の電子機器であって、
前記フィルム液晶表示手段は、操作者の視線の上下に対応する縦方向と、前記縦方向に直交する横方向とがあらかじめ規定されており、
前記複数の領域の前記境界は、前記横方向に略並行に伸びていることを特徴とする電子機器。
【請求項１５】
請求項１または請求項４に記載の電子機器であって、
前記フィルム液晶表示手段は、文字画像の表示における文字配列の行方向があらかじめ規定されており、
前記複数の表示領域の前記境界は、前記行方向に略並行に伸びていることを特徴とする電子機器。
【請求項１６】
請求項１または請求項４に記載の電子機器であって、
前記複数の表示領域の前記境界のうち、曲率が所定の曲率よりも大きい境界には、少なくとも文字情報を表示させないことを特徴とする電子機器。
【請求項１７】
請求項１または請求項４に記載の電子機器であって、
前記複数の表示領域のうち少なくとも１つの表示領域について、他の表示領域とは独立して情報をスクロール表示させる単独スクロール手段、
をさらに備えることを特徴とする電子機器。
【請求項１８】
請求項１または請求項４に記載の電子機器であって、
前記複数の表示領域にまたがって情報をスクロール表示させる広領域スクロール手段、
をさらに備えることを特徴とする電子機器。
【請求項１９】
請求項１または請求項４に記載の電子機器であって、
指定された情報を前記複数の表示領域にまたがって表示させる広画面モードと、特定の１つの表示領域内で表示させる狭画面モードとを切り替える画面切替手段、
をさらに備えることを特徴とする電子機器。
【請求項２０】
表示機能を有する電子機器であって、
立体的外形を有する本体部と、
前記本体部の表面形状に沿って非一様な湾曲状態で立体的かつ連続的に取り付けられ、湾曲状態の変化部を境界として幾何学的に区別された複数の表示領域を有するフィルム液晶表示手段と、
を備え、
前記複数の表示領域の一部が、前記電子機器の使用状態において操作者と対面する対面部に配置されていることを特徴とする電子機器。
【請求項２１】
請求項２０に記載の電子機器であって、
前記対面部が平面であることを特徴とする電子機器。
【請求項２２】
請求項２０に記載の電子機器であって、
前記対面部が曲面であることを特徴とする電子機器。
【発明の詳細な説明】
【０００１】
【発明の属する技術分野】
本発明は、フレキシブルな液晶表示装置を備えた機器における、液晶表示装置の表示制御に関する。
【０００２】
【従来の技術】
従来の液晶表示装置は、ガラス基板を用いる構造であるため、略平面状態でのみ使用可能としている。例えば、液晶表示装置を液晶テレビやパーソナルコンピュータの液晶ディスプレイとして使用する場合、用途に応じた平面表示領域が確保される必要があり、また、その用途に応じてテレビやディスプレイの大きさが決まるものである。
【０００３】
一方、携帯電話や携帯情報端末などの比較的形状の小さい端末であって、液晶表示装置を備えている電子機器がある。これらは、携帯性および軽量化を重視するため、電子機器自体の大きさに制限がある。このため、前述したように平面のみで使用可能な液晶表示装置を使用している場合であれば、電子機器の表面に充分な平面表示領域を確保することが困難である。
【０００４】
さらに、携帯性の観点や、キーボタン等の操作部の配置との関係から、電子機器の形状がある程度特定されるため、平面の充分な表示領域を確保することは困難である。このような理由から、平面のみで使用可能な液晶表示装置では、表示領域を充分に確保できないという問題があり、また、逆に平面のみで使用可能な液晶表示装置を用いた電子機器はデザインの制約を受けるという問題がある。
【０００５】
このような問題を解決する手段として、フレキシブルな液晶表示装置としてフィルム液晶表示装置を用いる方法がある。フィルム液晶表示装置は、フィルム基板、液晶層の厚みを加えても１ｍｍ以下の厚さしかなく、フレキシブルに曲げることが可能であり、曲面状態で画像を表示することが可能である。
【０００６】
このようなフィルム液晶表示装置を利用することで、電子機器の曲面形状部分であっても表示領域として利用することが可能となり、電子機器のデザインの自由度を広げることが可能となる。
【０００７】
【発明が解決しようとする課題】
上述したフィルム液晶表示装置を用いて、曲面形状部分を表示領域として利用した場合、曲面形状部分の曲率が一定であれば、表示を観察しているときに違和感はないが、例えば平面部と曲面部がつながっている場合に、その境界にまたがって表示が行われると、表示内容が歪んだように見え、違和感がある。
【０００８】
また、機器の形状に合わせてフィルム液晶表示装置を配置した場合、必然的に見やすい場所と、見づらい場所が存在することになる。このため、機器の形状に合わせてフィルム液晶表示装置を取り付けることで表示領域を広く確保することは可能であるが、表示制御を漠然と行っているだけでは、見易さという点で課題がある。
【０００９】
特に、携帯電話や携帯情報端末にフレキシブルなフィルム液晶を用いた場合、幅の狭い表示領域に絵柄画像の情報やメインとなる文字情報を表示すると情報が見づらくなる。
【００１０】
本発明は、フィルム液晶表示装置を備えた電子機器において、表示部の形状に応じて、適切に、違和感無く観察できるように表示内容および表示方法を制御することで、操作性に優れた電子機器を提供することを目的とする。
【００１１】
【課題を解決するための手段】
上記課題を解決するため、請求項１の発明は、表示機能を有する電子機器であって、立体的外形を有する本体部と、本体部の表面形状に沿って非一様な湾曲状態で立体的かつ連続的に取り付けられ、湾曲状態の変化部を境界として幾何学的に区別された複数の表示領域を有するフィルム液晶表示手段とを備えることを特徴とする。
【００１２】
請求項２の発明は、請求項１に記載の電子機器であって、複数の表示領域に個別に画像表示を行わせる表示制御手段をさらに備えることを特徴とする。
【００１３】
請求項３の発明は、請求項２に記載の電子機器であって、表示制御手段は、フィルム液晶表示手段の全表示領域に対応したフレームメモリである画像メモリを備え、画像メモリの各記憶領域を前記複数の表示領域に対応させて、複数の表示領域における表示制御を行うことを特徴とする。
【００１４】
請求項４の発明は、表示機能を有する電子機器であって、立体的外形を有する本体部と、本体部の表面形状に沿って立体的かつ連続的にとりつけられ、比較的小さい曲率を持つ小曲率表示領域と、比較的大きい曲率を持つ大曲率表示領域とを含む複数の表示領域が、曲率の変化部を境界として幾何学的に区別されてなるフィルム液晶表示手段と、小曲率表示領域と前記大曲率表示領域とに個別に画像を表示させる表示制御手段とを備えることを特徴とする。
【００１５】
請求項５の発明は、請求項４に記載の電子機器であって、小曲率表示領域は平面表示領域であり、大曲率表示領域はゼロでない曲率を有する曲面表示領域となっていることを特徴とする。
【００１６】
請求項６の発明は、請求項４または請求項５に記載の電子機器であって、表示制御手段は、ステータス情報を前記大曲率表示領域に表示させることを特徴とする。
【００１７】
請求項７の発明は、請求項４または請求項５に記載の電子機器であって、表示制御手段は、小曲率表示領域と大曲率表示領域とのうち、小曲率表示領域に絵柄画像を優先表示させることを特徴とする。
【００１８】
請求項８の発明は、請求項４または請求項５に記載の電子機器であって、ネットワーク接続手段と、電子メールのメール処理手段とをさらに備え、表示制御手段は、メール処理手段で処理するメール本文を小曲率表示領域に表示させることを特徴とする。
【００１９】
請求項９の発明は、請求項４または請求項５に記載の電子機器であって、ネットワーク接続手段と、フィルム液晶表示手段にホームページのコンテンツ情報を表示可能なウェブブラウザとを備え、表示制御手段は、コンテンツ情報を前記小曲率表示領域に表示させることを特徴とする。
【００２０】
請求項１０の発明は、請求項４または請求項５に記載の電子機器であって、小曲率表示領域は、平面視で略長方形状であることを特徴とする。
【００２１】
請求項１１の発明は、請求項４または請求項５に記載の電子機器であって、小曲率表示領域の面積は、大曲率表示領域の面積より大きく形成したことを特徴とする。
【００２２】
請求項１２の発明は、請求項４または請求項５に記載の電子機器であって、小曲率表示領域の少なくとも一部の表面領域の上に配置されたタッチパネルをさらに備え、少なくとも一部の表面領域に、操作者によって指示されるイベント毎のオブジェクトの画像が表示されることを特徴とする。
【００２３】
請求項１３の発明は、請求項４または請求項５に記載の電子機器であって、表示制御手段は、常時表示する情報を小曲率表示領域に表示させることを特徴とする。
【００２４】
請求項１４の発明は、請求項１または請求項４に記載の電子機器であって、フィルム液晶表示手段は、操作者の視線の上下に対応する縦方向と、前記縦方向に直交する横方向とがあらかじめ規定されており、複数の領域の境界は、横方向に略並行に伸びていることを特徴とする。
【００２５】
請求項１５の発明は、請求項１または請求項４に記載の電子機器であって、フィルム液晶表示手段は、文字画像の表示における文字配列の行方向があらかじめ規定されており、複数の表示領域の前記境界は、行方向に略並行に伸びていることを特徴とする。
【００２６】
請求項１６の発明は、請求項１または請求項４に記載の電子機器であって、複数の表示領域の前記境界のうち、曲率が所定の曲率よりも大きい境界には、少なくとも文字情報を表示させないことを特徴とする。
【００２７】
請求項１７の発明は、請求項１または請求項４に記載の電子機器であって、複数の表示領域のうち少なくとも１つの表示領域について、他の表示領域とは独立して情報をスクロール表示させる単独スクロール手段をさらに備えることを特徴とする。
【００２８】
請求項１８の発明は、請求項１または請求項４に記載の電子機器であって、複数の表示領域にまたがって情報をスクロール表示させる広領域スクロール手段をさらに備えることを特徴とする。
【００２９】
請求項１９の発明は、請求項１または請求項４に記載の電子機器であって、指定された情報を複数の表示領域にまたがって表示させる広画面モードと、特定の１つの表示領域内で表示させる狭画面モードとを切り替える画面切替手段をさらに備えることを特徴とする。
【００３０】
請求項２０の発明は、表示機能を有する電子機器であって、立体的外形を有する本体部と、本体部の表面形状に沿って非一様な湾曲状態で立体的かつ連続的に取り付けられ、湾曲状態の変化部を境界として幾何学的に区別された複数の表示領域を有するフィルム液晶表示手段とを備え、複数の表示領域の一部が、電子機器の使用状態において操作者と対面する対面部に配置されていることを特徴とする。
【００３１】
請求項２１の発明は、請求項２０に記載の電子機器であって、対面部が平面であることを特徴とする。
【００３２】
請求項２２の発明は、請求項２０に記載の電子機器であって、対面部が曲面であることを特徴とする。
【００３３】
【発明の実施の形態】
以下、図面を参照しつつ本発明の実施の形態について説明する。まず、図２２を用いてフィルム液晶表示装置であるカイラルネマチック液晶表示装置の構成について説明する。
【００３４】
＜０．フィルム液晶表示装置＞
図２２は、表示パネル２１の横断面図である。表示パネル２１は、単純マトリックス駆動方式のフルカラー液晶表示素子２１ａを有している。この液晶表示素子２１ａは、一対の透明基板２１１ａ、２１１ｂ間に液晶表示層２１２を挟持してなる液晶素子を、青色表示用液晶素子２１ｂ、緑色表示用液晶素子２１ｇ、赤色表示用液晶素子２１ｒとして３つ積層したものである。
【００３５】
液晶表示層２１２には、可視領域に選択反射波長を有するコレステリック液晶材料が含まれている。最も視点側の液晶素子２１ｂには青色の選択反射を行う液晶材料が含まれ、次の液晶素子２１ｇには緑色の選択反射を行う液晶材料が含まれ、最後の表示素子２１ｒには赤色の選択反射を行う液晶材料が含まれている。また、最下層には、例えば黒色である吸収層２１ｋが設けられている。
【００３６】
液晶表示層２１２は、その液晶表示層を挟持する上下の透明電極層２１３に印可される電圧に応答して、可視光を透過する透明状態から特定の波長の可視光を選択的に反射する選択反射状態へ、あるいは逆に、選択反射状態から透明状態へと切り替わる。したがって、特定の液晶表示層２１２を選択反射状態とし、図２２の上方から液晶表示素子２１ａに向けて自然光等の白色光を照射すると、選択反射状態の液晶表示層２１ａが特定波長の可視光を反射し、これが各色の表示として観察される。液晶表示層２１２が透明状態にあるときは、入射光が液晶表示層２１２を通過する。このため、表示しようとする色に相当する液晶素子を選択反射状態とし、少なくともこの液晶素子よりも視点側にある液晶素子を透明状態とすることにより、所望の色の表示を行うことができる。また、全ての液晶素子を透明状態とすれば、入射光が吸収層に吸収されて黒色表示となる。
【００３７】
各液晶表示層２１２に含まれるコレステリック液晶としては、それ自体が室温でコレステリック相を示すコレステリック液晶を含む液晶材料や、ネマチック液晶にカイラル材を添加した液晶材料などを用いることができる。これらのコレステリック液晶は、比較的高いパルス電圧が印可されるとプレーナ状態が選択され、比較的低いパルスが印可されるとフォーカルコニック状態が選択される。また、その中間の電圧パルスを印可すると、プレーナ状態とフォーカルコニック状態とが混在した状態が選択される。コレステリック液晶がプレーナ状態の場合、液晶の螺旋ピッチをＰ、液晶の平均屈折率をｎとすると、波長λ＝Ｐ・ｎの光が液晶によって選択的に反射される。また、コレステリック液晶がフォーカルコニック状態では、液晶の選択反射波長が赤外領域にある場合には可視光を散乱し、選択反射波長がそれよりも短い場合には散乱が弱くなり可視光が透過される。コレステリック液晶がプレーナ状態とフォーカルコニック状態が混在した状態にあると、中間調が表示される。したがって、選択反射波長を可視光に設定し、素子の観察側と反対側に光吸収層を設けることにより、特定色（プレーナ状態）と黒色（フォーカルコニック状態）、およびその中間調とで表示を切替えることができる。
【００３８】
これにより、例えば青色表示用液晶素子２１ｂおよび緑色表示用液晶素子２１ｇをコレステリック液晶材料がフォーカルコニック状態となった透明状態とし、赤色表示用液晶素子２１ｒをコレステリック液晶がプレーナ状態となった選択反射状態とすることにより、赤色表示を行うことができる。また、青色表示用液晶素子２１ｂをコレステリック液晶材料がフォーカルコニック状態となった透明状態とし、緑色表示用液晶素子２１ｇおよび赤色表示用液晶素子２１ｒをコレステリック液晶がプレーナ状態となった選択反射状態とすることにより、イエローの表示を行うことができる。同様に、各液晶素子の状態を透明状態と選択反射状態を適宜選択することにより、赤、緑、青、白、シアン、マゼンタ、イエロー、黒の表示が可能である。さらに各色液晶素子の状態として中間の選択反射状態を選択することにより中間色が表示され、フルカラー表示を行うことができる。
【００３９】
このようにコレステリック相からの選択反射を利用しているため、液晶そのものが光を反射するための偏光板、反射板が不要であり、液晶材料の調整で反射波長が選択できるためカラーフィルタが不要となる。また、選択反射状態と透明状態の２状態で安定で一旦書き込まれた表示画像は半永久的に保持されるため、メモリ性を有し省電力化が可能となる。
【００４０】
以下では、液晶表示素子２１ａの詳細な構成について説明する。透明基板２１１ａ、２１１ｂ上には、微細な間隔をおいて平行に並んだ複数の帯状の透明電極２１３が形成されており、この透明電極２１３形成側の面に、上下の透明基板２１１ａ、２１１ｂに接着した断面柱状の樹脂構造物２１４が配置され、両透明基板２１１ａ、２１１ｂを支持している。透明基板２１１ａ、２１１ｂ間にはスペーサ２１５が配置され、透明基板２１１ａ、２１１ｂ間のギャップを定めている。液晶表示層２１２は、樹脂構造物２１４、スペーサ２１５、およびこれらの間に充填された液晶材料２１６により構成される。
【００４１】
両透明基板２１１ａ、２１１ｂは、透明電極２１３の向きが互いに直角方向となるように対向させており、透明電極２１３が重なり合う領域が画素となる。なお、本明細書においては、液晶材料によって表示がなされる領域を表示領域と呼ぶ。また、透明基板２１１ａ、２１１ｂ間には、表示領域外である基板の外縁部に液晶材料を封じ込めるためのシール材２１７が設けられている。
【００４２】
透明基板２１１ａ、２１１ｂの透明電極２１３形成面に、絶縁膜２１８と、絶縁膜２１８の上に配向制御膜２１９が設けられている。この絶縁膜２１８として、酸化シリコンなどの無機膜あるいはポリイミド樹脂、エポキシ樹脂などの有機膜を配することにより、上下基板間のショートを防いだり、液晶素子の信頼性の向上を図れる。また、配向制御膜２１９としては、ポリイミドに代表されるものを利用する。
【００４３】
透明基板２１１ａ、２１１ｂとしては、ガラス基板の他、ポリカーボネート、ポリエーテルスルホン（ＰＥＳ）、ポリエチレンテレフタレート等のフレキシブル基板等が使用可能である。このように、フレキシブル基板を使用することにより、表示パネル１２はフレキシブルに曲げることが可能であり、曲面状態で画像表示を行うことができるのである。
【００４４】
＜１．携帯電話の外観構成＞
次に、フィルム液晶表示装置を用いた電子機器の構成について携帯電話を一例として説明する。図１は本実施形態の携帯電話１の斜視図である。携帯電話１は、縦長形状の端末本体１０の上部にアンテナ４９を配し、上部側の厚みが下部側より厚く形成されている。なお、図１および図２において矢視１０Ｕを端末本体１０の上部側とする。
【００４５】
端末本体１０の下端付近には、マイク５１が設けられ、端末本体１０の上端付近にはスピーカ５２が設けられている。そして、端末本体１０の下部側で厚みが薄くなっている部分は、後述するタッチパネル式の操作部５０としており、当該操作部５０により携帯電話１のダイヤル操作や、表示内容の切り替え操作など全ての操作を行うようにしている。なお、後述するが、フィルム液晶表示装置４０による表示制御によって、操作部５０の配置は自由に変更できるものであり、図１で示した配置は一例を示すものである。
【００４６】
図２に携帯電話１の側面図（一部側面断面図）を示す。図に示すように、端末本体１０には、上部側および下部側に、それぞれ平面部１１および平面部１３を有しており、平面部１１と平面部１３の間は、側面視で略Ｓ字形状の曲面部１２としている。そして、平面部１１と曲面部１２との境界部分および曲面部１２と平面部１３との境界部分は共になだらかに連結されており、全体として端末本体１０の表面を形成している。
【００４７】
そして、平面部１１、曲面部１２、平面部１３にまたがるようにして一枚のフィルム液晶表示手段であるフィルム液晶表示装置４０が装着されている。そして、当該フィルム液晶表示装置４０（以下の説明で適宜、表示装置４０と略す）の上部には、表示装置４０の上面に沿うようにしてタッチパネル４１が装着されている。なお、本実施の形態においては、表示装置４０はカイラルネマチック液晶表示装置としている。
【００４８】
以上の如く配置された表示装置４０は、端末本体１０の表面の形状に従って、同様に平面部と曲面部が形成されており、平面視で端末本体１０の平面部１１とラップする位置を第一表示領域３１、曲面部１２とラップする位置を第二表示領域３２、平面部１３とラップする位置を第三表示領域３３としている。また、第一表示領域３１と第二表示領域３２との境界を境界３４、第二表示領域３２と第三表示領域３３との境界を境界３５としている。
【００４９】
このように、電子機器である携帯電話１は、立体的外形を有する本体部である端末本体１０と、端末本体１０の表面形状に沿って非一様な湾曲状態で立体的かつ連続的に取り付けられ、湾曲状態の変化部を境界として幾何学的に区別された複数の表示領域３１，３２，３３を有するフィルム液晶表示装置４０とを備えている。
【００５０】
＜２．携帯電話の内部構成＞
次に、図３を用いて携帯電話１の内部構成について説明する。図に示す制御手段４２は、前述した表示装置４０およびタッチパネル４１の制御を行う他、携帯電話１の各種操作、機能を制御する中枢部である。
【００５１】
アンテナ４９は、無線通信回路４８を介して制御手段４２に接続されている。そして、アンテナ４９が図示せぬ携帯電話基地局の電波を受信することで、当該基地局との間で通信を可能としている。そして、マイク５１により入力された音声が、制御手段４２、無線通信回路４８、アンテナ４９を介して音声信号として基地局側に送信され、逆に通話先から送信された音声信号が制御手段４２等を介してスピーカ５２から出力可能としている。
【００５２】
また、携帯電話１は、メール処理手段５６、ウェブブラウザ５７、ネットワーク接続手段５８を備えており、無線通信回路４８等を介して通信先との間で、文字データや絵柄画像データの送受信を可能としている。このように、無線通信回路４８は、通話にかかる音声信号の通信制御のみならず、メールおよびＨＰ（ホームページ）コンテンツデータの通信制御を行う。また、携帯電話基地局との通信状態の検出を行う。
【００５３】
画像処理手段４３は、制御手段４２の指示に従い、表示装置４０に表示する画像の生成を行う。文字は例えばＲＯＭ（図示せぬ）に書き込まれているフォントデータより文字画像の生成が行われる。なお、画像データはＪＰＥＧなどの画像圧縮規格により伸張処理が行われる。
【００５４】
ここで、画像とは、絵柄画像（写真などの自然画）、文字画像（キャラクタコード）、およびイラスト画像を含む総称である。すなわち、フィルム液晶表示装置４０に表示される情報は全て（文字も含めて）画像に含まれるものであり、前述したＪＰＥＧ等による画像圧縮処理は、主に、絵柄画像に対して行われる。
【００５５】
画像メモリ４５は、表示装置４０の表示領域に対応したフレームメモリである。図４に画像メモリ４５のメモリマップを示す。前述の如く、携帯電話１の立体的外形に従って、表示装置４０は、第一表示領域３１、第二表示領域３２、第三表示領域３３の３つの表示領域に分割されている。そして、図４に示すように、画像メモリ４５は、各表示領域３１，３２，３３に対応した記憶領域である第一表示エリア３１Ｍ、第二表示エリア３２Ｍ、第三表示エリア３３Ｍに区画されている。このように、画像メモリ４５の各記憶領域を複数の表示領域３１，３２，３３に対応させて、複数の表示領域における表示制御を行うようにしている。
【００５６】
以上の構成における表示装置４０への表示制御について説明する。制御手段４２からの指示により、メモリ制御手段４４が表示データを各表示領域に対応した画像メモリ４５に書き込む。そして、画像メモリ４５から表示更新部分の表示データを読み出してデータドライバ４４ｄへ入力する。
【００５７】
また、制御手段４２からの指示により、走査制御手段４６が表示装置４０の書き換えラインを順に指定する。このように、書き換え対象部分のみのラインを指定することにより、表示装置４０の部分書き換えを可能としている。
【００５８】
そして、走査ドライバ４６ｄにより、書き換えラインに対して走査処理が行われ、データドライバ４４ｄがメモリ制御手段４４から入力した１ライン分の表示データをカラムラインへの印加信号として送信することにより、１ラインごとの表示制御が行われるのである。このように、制御手段４２、画像処理手段４３、メモリ制御手段４４、データドライバ４４ｄ、走査制御手段４６、走査ドライバ４６ｄとから表示制御手段を構成している。
【００５９】
そして、この表示制御は、前述のごとく書き換え対象部分のラインのみを指定することが可能である。つまり、制御部４２は、走査制御手段４６に対して書き換え対象部分のラインの走査を実行させ、この走査に同期させて、メモリ制御手段４４に対しては、当該書き換え対象部分の１ライン分の画像信号の送信を実行させるのである。
【００６０】
このように、本実施の形態の表示装置４０は、各表示領域３１，３２，３３内の指定されたラインのみの書き換えを実行させることが可能である。これによって、書き換え単位を自由に制御することが可能であり、後述するように、本実施の形態においては、各表示領域３１，３２，３３単位で書き換え処理を実行させることとしている。
【００６１】
また、表示装置４０と重ねて配置されるタッチパネル４１は、操作者が当該タッチパネル４１を触った場合に、そのパネル上の座標位置を検出する。そして、この位置情報をタッチパネル４１に接続された制御手段４２が入力することにより、位置情報に基づいた制御が行われる。なお、タッチパネル４１は透明シートであり、操作者は、タッチパネル４１の下面に配置されている表示装置４０に表示されている画像を見ながら操作を行う。つまり、イベント要求時には、表示装置４０には、当該イベントをあらわすオブジェクト画像もしくは文字画像が表示されており、操作者が、当該画像を触る動作に反応してタッチパネル４１上の位置情報が検出されるのである。
【００６２】
携帯電話１の各部品は電源回路５５を介してバッテリ５４の電力供給を受ける構成としており、バッテリ監視回路５３が、バッテリ５４の残量を４段階のレベルで検出可能としており、残量レベルの変化がある場合には、制御手段４２に割込み信号および残量レベル信号を送信する。
【００６３】
＜３．フィルム液晶表示装置への表示制御＞
次に、図９ないし図１６のフローチャートを参照しながら、図５ないし図８に示すフィルム液晶表示装置４０への表示制御について説明する。
【００６４】
まず、図９を用いて携帯電話１の基本制御フローについて説明する。基本制御フローは携帯電話１の電源ＯＮにより処理を開始する。そして、電源ＯＮがされた後、待機画面表示が行われる（ステップＳ１０１）。待機画面表示は、図５に示すように、第一表示領域３１および第三表示領域３３に対して行われる。図では、待機画面として第一表示領域３１に絵柄画像が表示され、第三表示部３３には、イベントを要求するオブジェクト画像である「ダイヤル」ボタンおよび「メニュー」ボタンが表示されている。
【００６５】
ここで図９から図１６に示すフローチャートにおける「表示」とは、対応する画像メモリ４５を書き換えるとともに、その表示部についての書き換え駆動を行う一連の動作を意味する。そして、表示制御のタイミングにのみ表示装置４０が駆動され、表示内容は前述したカイラルネマチック液晶のメモリ性により保持される。
【００６６】
図１および図２で示したように、表示装置４０は端末本体１０の表面形状に沿って、非一様な湾曲状態で立体的かつ連続的に取り付けられており、その表示領域は、比較的小さい曲率を持つ小曲率表示領域と、比較的大きい曲率を持つ大曲率表示領域とを含むこととなる。
【００６７】
つまり、表示装置４０は、小曲率表示領域である第一および第二表示領域３１，３３と、大曲率表示領域である第二表示領域３２とを含んでいる。なお、前述の如く、小曲率表示領域である第一および第二表示領域３１，３３は平面表示領域であり、大曲率表示領域である第二表示領域３２はゼロでない曲率を有する曲面表示領域である。以下の説明においては、適宜、第一表示領域３１を小曲率表示領域３１、第二表示領域３２を小曲率表示領域３２、第三表示領域３３を小曲率表示領域３３と称する。
【００６８】
待機画面表示を行った後、次に、第二表示領域３２に通信状態、時刻、バッテリレベルの表示を行う（ステップＳ１０２）。
【００６９】
図１０に通信状態更新処理フローを示す。通信状態更新処理は、携帯電話１の電源がＯＮされている状態で、常時監視処理が行われている。つまり、ステップＳ２０１において、アンテナ４９の受信する電波を無線通信回路４８が検出することで、制御部４２は、通信レベルに変化が生じているか否かの判定を行う。
【００７０】
通信レベルに変化が生じている場合には、第二表示領域３２の表示更新を行う（ステップＳ２０２）。通信レベルに変化が生じていない場合には、監視処理を続行する。なお、図９で示したステップＳ１０２において、電源ＯＮ後の初期状態においては、通信レベルの変化の有無に関係なく、通信状態の表示更新を行う。なお、図５等の第二表示領域３２に、通信レベル表示７０を示す。
【００７１】
図１１にバッテリ表示更新処理フローを示す。バッテリ残量はバッテリ監視回路５３により、携帯電話１の電源がＯＮされている状態で、常時監視処理が行われており、当該バッテリ監視回路５３からの信号に応答してバッテリ表示更新処理が実行される。
【００７２】
そして、バッテリ監視回路５３からバッテリ残量の信号を受信すると、ステップＳ３０１において、第二表示領域３２の表示更新を行う。なお、図９で示したステップＳ１０２において、電源ＯＮ後の初期状態においては、バッテリ残量の変化の有無に関係なく、通信状態の表示更新を行う。なお、図５等の第二表示領域３２に、バッテリ表示７１を示す。
【００７３】
図１２に時刻更新処理フローを示す。時刻更新処理は図示せぬシステム時計からの信号に応答して実行され、ステップＳ４０１において、第二表示領域３２の表示更新を行う。なお、図９で示したステップＳ１０２において、電源ＯＮ後の初期状態においては、バッテリ残量の変化の有無に関係なく、通信状態の表示更新を行う。なお、図５等の第二表示領域３２に、時計表示７２を示す。
【００７４】
このように、通信状態、バッテリ残量、時刻といったステータス情報を大曲率表示領域３２に表示制御している。つまり、ステータス情報は、表示が歪んだ場合であっても、情報が取得できる程度であれば問題はない。したがって、曲率の比較的大きな表示領域に表示させてもよく、端末本体１０の曲率が大きい形状部分も有効利用するこが可能となる。また、小曲率表示領域３１，３３を広く確保することが可能となる。
【００７５】
これに対して、待機画面で示したように、絵柄画像は小曲率表示領域３１に表示している。絵柄画面は、情報伝達としての目的だけでなく、その絵柄の美しさやレイアウトが重要である場合が多い。このため、大曲率表示領域に表示することで、絵柄画像が歪むのは好ましくはない。そこで、絵柄画像を優先的に小曲率表示領域に表示制御するようにしているのである。
【００７６】
再び、図９の基本制御フローの戻る。Ｓ１０２において第二表示領域３２の表示制御を行った後、制御部４２は第三表示領域３３に表示されているオブジェクト画像の操作によりイベントが要求されたか否かの判定を行う（ステップＳ１０３）。具体的には、タッチパネル４１から出力される座標位置情報を検出し、その位置情報から「ダイヤル」ボタンが選択されたか、「メニュー」ボタンが選択されたかの判定を行う。
【００７７】
そして、「ダイヤル」ボタンが選択された場合には、図１３のダイヤル処理へ移行する。「メニュー」ボタンが選択された場合には、詳細な説明は省略するが、携帯電話１が備えるその他の機能（メール機能やホームページ閲覧機能など）を選択するメニューが表示される。
【００７８】
図１３のダイヤル処理フローについて説明する。図９のステップＳ１０３において、「ダイヤル」ボタンの選択が検知されると、ステップＳ５０１において第三表示領域３３にテンキー７３を表示する。図６（ａ）に第三表示領域３３にテンキー７３が表示されている状態を示す。
【００７９】
次に、第三表示領域３３に表示されているテンキー７３に対する操作を検出する。この検出も、同様に、制御部４２がタッチパネル４１から出力される座標位置情報に基づいて行う。そして、テンキー７３により番号（ダイヤル情報）が入力されると、入力されたダイヤル番号７４を第一表示領域３１に表示する（ステップＳ５０３）。そして、ステップＳ５０２、Ｓ５０３を繰り返してダイヤル情報が入力される。図６（ｂ）に入力されたダイヤル番号７４が第一表示領域３１に表示されている状態を示す。
【００８０】
そして、ダイヤル情報が全桁入力された状態で、ステップＳ５０２において「通話」ボタン７５が選択されると、通話処理へと移行する。ここで、「キャンセル」ボタン７６が選択された場合には、図９で示す基本制御フローに戻る。
【００８１】
一方、図１４は着信制御フローを示す。着信制御フローは無線通信回路４８を介して制御部４２が着信信号を受信すると、基本制御フローへの割込み処理として実行される。着信信号を受信すると、まず、第一表示領域３１に「着信」表示７７が行われ（ステップＳ６０１）、続いて、第三表示領域３３に「通話」ボタン７５と「キャンセル」ボタン７６が表示される（ステップＳ６０２）。そして、ステップＳ６０３において、キー入力の判定が行われ、「通話」ボタン７５が選択された場合には、通話処理へと移行する。また、「キャンセル」ボタン７６が選択された場合には、割込み処理を終了し、基本制御フローに復帰する。
【００８２】
図１５に通話処理フローを示す。図６（ａ）および（ｂ）において、「通話」ボタン７５が選択されることにより、通話処理が開始される。そして、ステップＳ７０１において、通話先から画像情報が送られているかどうかの判定を行い、画像を受信している場合には、第一表示領域３１に絵柄画像の表示を行うとともに、通話可能状態とする。通話先から画像情報が送られてこない場合には、通常通話が行われる（ステップＳ７０３）。
【００８３】
以上、説明したように、ダイヤル操作を行うテンキー７３の表示や、「ダイヤル」ボタンや「メニュー」ボタンの画像表示など、イベントを要求するオブジェクト画像は小曲率表示領域３３（小曲率表示領域３１に表示させてもよい）に表示している。これにより、タッチパネル４１に対する操作性がよい。特に、本実施の形態においては、小曲率表示領域３１，３３は平面表示領域としているので、操作性に優れており、誤操作を防止できる。
【００８４】
また、小曲率表示領域３１，３３は平面視で略長方形状となるようにしているので、タッチパネル４１に対する操作性がよい。また、小曲率表示領域には、前述の如く、絵柄画像を優先表示させる制御を行うが、絵柄画像のデータが長方形であることから表示位置の制御が行いやすい。また、後述するように、メール表示やホームページ表示を行う際、文字情報が読みやすいというメリットがある。
【００８５】
なお、本実施の形態においては、第二表示領域３２も斜視で長方形状としているが、第二表示領域３２は、端末本体１０の立体形状に合わせて、ある程度ゆがんだ形状であってもよく、表示装置４０の取り付けは自由度の高いものとなっている。
【００８６】
また、小曲率表示領域３１，３３の面積は、大曲率表示領域３２の面積より大きく形成している。これにより、大曲率表示領域に表示される比較的重要度の低い情報（前述したステータス情報等）と、小曲率表示領域に表示されるメインとなる情報が視覚的に区別され、重要な情報が確認しやすくなる。
【００８７】
次に、図１６を用いてメール表示処理について説明する。図９で示した基本制御フローのステップＳ１０３において「メニュー」ボタンが選択された場合、所定の操作によりメール表示処理に移行する。そして、ネットワーク接続手段５８によりネットワーク接続が行われ、メール処理手段５６によりメールが受信された後、指定されたメールに対して図１６に示す処理が行われる。
【００８８】
まず、指定されたメールの本文が第一表示領域３１に表示される（ステップＳ８０１）。そして、差出人メールアドレスやメールヘッダなどの付加情報と、操作キーが第三表示領域３３に表示される（ステップＳ８０２）。この状態を図７（ａ）に示す。このように文字情報の読みやすさの観点から、メール本文を小曲率表示領域３１に表示するようにしている。
【００８９】
次に、ステップＳ８０３においてキー入力の判定が行われる。キーは、ダウンキー６１、アップキー６４、画面切替キー６２、キャンセルキー６３からなり、キャンセルキー６３が選択された場合には、基本制御フローに戻る。
【００９０】
画面切替キー６２が選択された場合には、広画面モードまたは狭画面モードの切り替えが行われ（ステップＳ８０４）、モードに応じた表示制御が第一、第二、第三表示領域３１，３２，３３に対して行われる（ステップＳ８０５）。
【００９１】
図７（ａ）は狭画面モードであり、メール本文は第一表示領域３１のみに表示されている。そして、図７（ｂ）は広画面モードに切り替えられた状態を示し、第一、第二、第三表示領域３１，３２，３３にまたがってメール本文が表示されている。
【００９２】
また、ステップＳ８０３においてアップキー６４もしくはダウンキー６１が選択された場合には、スクロール表示が行われる。スクロール表示を行う際には、まず、ステップＳ８０６において、現在の画面モードが広画面モードであるか、狭画面モードであるかの判定を行う。そして、広画面モードであればステップＳ８０７に移行し、狭画面モードであればステップＳ８０８に移行する。
【００９３】
ステップＳ８０８においては、狭画面モードにおいて、第一表示領域３１内でのスクロール表示が行われる。つまり、第一表示領域３１は、他の表示領域３２，３３とは独立して情報をスクロール表示させるのである。この単独スクロール表示を行う場合、図４に示した画像メモリ４５の第一表示エリア３１Ｍにはメール本文の情報が書き込まれ、第二表示エリア３２Ｍにはステータス情報、第三エリア３３Ｍにはメールの付加情報が書き込まれている。そして、アップキー６４もしくはダウンキー６１が選択された場合、メモリ制御手段４４は、順次メール本文の文字情報を第一表示エリア３１Ｍに書き込むとともに、データドライバ４４ｄに表示データを送るのである。なお、メール本文の全データはメール処理機能５６により受信処理が行われた後、メモリ４７に保存されている。
【００９４】
このような単独スクロール制御を行うことにより、操作者は、第三表示領域３３に表示されている付加情報を参照しながら、メール本文を読むことができ、また、第二表示領域３２に表示されているステータス情報を参照することも可能である。
【００９５】
ステップＳ８０７においては、広画面モードにおいて、第一、第二、第三表示領域３１，３２，３３にまたがった広領域でのスクロール表示が行われる。広画面モードにおいては、図４に示した画像メモリ４５の第一、第二、第三表示エリア３１Ｍ，３２Ｍ，３３Ｍにはメール本文の情報が書き込まれ、第三表示エリア３３Ｍの一部に操作キーのオブジェクト画像の情報が書き込まれている。
【００９６】
そして、アップキー６４もしくはダウンキー６１が選択された場合、メモリ制御手段４４は、順次メール本文の文字情報を第一、第二、第三表示エリア３１Ｍ，３２Ｍ，３３Ｍに書き込むとともに、データドライバ４４ｄに表示データを送るのである。これによって、操作者は、表示装置４０の全体にわたってメール本文をスクロールさせながら、参照することができる。
【００９７】
そして、ステップＳ８０５、Ｓ８０６、Ｓ８０７でそれぞれの表示領域に対する表示制御を行った後、再びキー入力の判定処理（ステップＳ７０３）に戻るのである。
【００９８】
図８は携帯電話１が備えるウェブブラウザ５７によりホームページコンテンツデータを表示した状態を示す図である。図９で示した基本制御フローのステップＳ１０３において「メニュー」ボタンが選択された場合、所定の操作によりネットワークへの接続処理が行われ、ウェブブラウザを起動することホームページの閲覧が可能となる。
【００９９】
そして、図８（ａ）に示すように、文字情報の読みやすさの観点からホームページコンテンツデータは小曲率表示領域３１に表示するようにしている。また、ホームページコンテンツデータの表示においても、画面切替キー６２を選択することにより、広画面モードと狭画面モードとを切替可能としている。図８（ａ）は狭画面モードの状態であり、第一表示領域３１のみにホームページコンテンツデータを表示している。これに対して、図８（ｂ）は広画面モードであり、第一、第二、第三表示領域３１，３２，３３にまたがって、ホームページコンテンツデータが表示されている。
【０１００】
また、前述したメール表示処理と同様に、狭画面モードにおいては単独スクロール表示が、広画面モードにおいては広領域スクロールを可能としている。
【０１０１】
以上、メール表示処理およびホームページデータの表示処理について説明したが、広画面モードにおいては、メール本文もしくはホームページデータが第一、第二、第三表示領域３１，３２，３３にまたがって表示されることとなる。一方、第一表示領域３１と第二表示領域３２との境界３４、および、第二表示領域３２と第三表示領域３３との境界３５は比較的曲率が大きな形状であるため、文字情報を表示した場合には、文字画像が歪み、読みづらくなる傾向にある。そこで、図７（ｂ）、（ｃ）もしくは図８（ｂ）に示すように、境界３４，３５には文字情報を表示させないようにしている。
【０１０２】
境界３４，３５に文字情報を表示させないために、広画面モードにおいては、図４に示す画像メモリマップにおいて、第一表示エリア３１Ｍのうち、第二表示エリア３２Ｍに近いアドレス部分には文字情報を持たせないようにし、同様に、第二表示エリア３２Ｍのうち、第一、および第三表示エリア３１Ｍ，３３Ｍに近いアドレス部分、第三表示エリア３３Ｍのうち、第二表示エリア３２Ｍに近いアドレス部分には文字情報を持たせないようメモリ制御手段４４が制御するのである。
【０１０３】
なお、境界３４，３５において曲率が大きい形状部分が非常に狭い領域である場合には、上述したように、画像メモリ４５の各表示エリアに文字情報を持たせいアドレス部を設ける必要はなく、境界３４，３５をまたがって文字が表示されないように、文字配列を制御すればよい。つまり、行間隔に境界３４，３５が納まるような表示制御を行えばよい。これに対して、図１８に示す携帯電話１Ａのように、第一表示領域３１Ａと第二表示領域３２Ａとの間で、曲率の大きい部分にある程度幅があるような場合、行間隔に境界３４Ａを納めることが不可能となる。この場合には、上述したように画像メモリ４５において文字情報をもたせないアドレス部分を設ける必要がある。なお、図１８で示す携帯電話１Ａは、表示装置４０Ａが端末本体１０Ａの上部側のみに取り付けられている。
【０１０４】
このように、境界３４，３５に文字を表示させないので、操作者は、端末本体１０の立体形状の曲率変化が大きい場合でも、メール本文やホームページデータを違和感なく参照することができるのである。なお、所定の曲率を上回る場合に文字情報を表示しない制御をすればよく、境界の曲率が小さい場合には、文字情報を表示してもよい。所定の曲率とは経験的に決まるもので、違和感なく文字を読むことができるという基準から決定すればよい。
【０１０５】
また、上述した境界３４，３５は端末本体１０の横方向と略並行に設けられている。ここで、操作者の視線の上下に対応する方向が図７および図８に示した縦方向１０Ｖであり、この縦方向１０Ｖに直交する方向を横方向１０Ｈとする。このように境界３４，３５が横方向と略並行に設けられているので、広画面モードにおいて境界を挟んで文字情報を表示させた場合であっても、違和感なく連続して文字を読むことができる。また、絵柄画像を表示する場合であっても境界付近の表示制御が複雑になることがない。
【０１０６】
また、境界３４，３５は文字画像の表示における文字配列の行方向と略並行に設けられている。これにより広画面モードにおいて境界を挟んで文字情報を表示させた場合であっても、違和感なく連続して文字を読むことができる。特に、スクロール表示（単独スクロール表示または広領域スクロール表示）を行う際には、境界３４，３５が行方向と略並行に設けられていることで、１ライン分の表示データ単位で書き込み制御が行えるので、スクロール制御を容易に行うことができるのである。
【０１０７】
また、第二表示領域３２は、操作者が携帯電話１を通常の使用状態で持った場合には、操作者と対面するような配置となっている。本実施の形態においては、第二表示領域３２は、面積が狭く、曲面であるために、前述の如く、ステータス情報などの表示用に用いられているが、この操作者と対面する第二表示領域３２は、操作者が自然に視線を向けることで参照できる配置となっているので、表示が見やすいという利点がある。
【０１０８】
操作者は携帯電話を使用する際には、まず通信状態の確認（電波の届く場所であるかどうか）を行うが、本実施の形態の携帯電話１であれば、端末本体１０を手にした時点で、自然と通信状態の表示７０やバッテリ表示７１が目に入るので、操作性がよい。
【０１０９】
なお、端末本体１０の立体形状によって、第二表示領域３２の面積を大きく確保できるのであれば、この第二表示領域３２にメール表示などを行うようにしてもよい。また、第二表示領域３２が平面表示領域として使用できるのであれば、絵柄画像の表示を行うようにしてもよい。
【０１１０】
＜４．変形例＞
上述した実施の形態において、小曲率表示領域および大曲率表示領域への表示内容の制御は、表示する情報の重要度に応じて使い分ける制御（重要な情報は小曲率表示領域へ表示）、もしくは、歪みの影響度に応じて使い分ける制御（画像情報は歪むのは好ましくないので小曲率表示領域へ表示）としたが、表示する頻度に応じた制御を行うようにしてもよい。
【０１１１】
図１７に示す実施の形態においては、常時表示する内容を小曲率表示領域３１，３３に表示し、一時的にしか表示しない内容を大曲率表示領域３２に表示制御している。
【０１１２】
つまり、図５、図６等で示した実施の形態とは異なり、常時表示される情報であるステータス情報は、小曲率表示領域３３に表示する制御を行っている。そして、図１７（ｂ）に示すように、ダイヤルキーが選択された時点で表示されるダイヤル番号などの一時的に表示する内容を大曲率表示領域３２に表示しているのである。このような表示制御を行うことで、小曲率表示領域を有効に利用することができる。
【０１１３】
図１９で示す携帯電話１Ｂは、図２で示した実施の形態と同様に、端末本体１０Ｂの略全長に亘って表示装置４０Ｂが取り付けられており、それぞれ第一、第二、第三表示領域３１Ｂ，３２Ｂ，３３Ｂを形成している。ただし、タッチパネル４１Ｂは、表示装置４０Ｂの全面に取り付けられるのではなく、図に示すように、小曲率表示領域である第三表示領域３３Ｂの上部のみに取り付けられている。
【０１１４】
このような構成とすることにより、操作入力は第三表示領域３３Ｂのみに限定されることとなるが、例えばメール表示を行う際には、主表示部となる第一表示領域３１Ｂにはタッチパネルが設けられていないので、光量低下がないというメリットがある。
【０１１５】
図２０で示す変形例は、形状の境界以外に、表示の境界を持たせた例である。図２で示した実施の形態においては、形状の境界が、そのまま表示領域の境界となっている。これに対して、図２０で示した実施の形態では、形状の境界である境界８５，８６には、表示領域の境界である境界８８，８９が対応しているが、これ以外にも表示領域の境界８７が設けられ、全体として表示領域は、第一、第二、第三、第四表示領域８１，８２，８３，８４の４つの領域に分割されている。
【０１１６】
このように、端末本体１０の立体形状に依存することなく、表示領域を分割することも可能であり、目的用途に応じて表示領域を区別することで、操作性の向上を図ることができる。
【０１１７】
図２１で示した実施の形態では、形状の境界部分に表示の境界を設けない例を示す。図に示すように、端末本体１０には形状の境界である境界９３，９４が形成されているが、境界９４に対応する部分には、表示の境界が設けられず、形状の境界９３に対応する部分にのみ表示の境界９５が設けられている。つまり、１つの表示領域は形状の境界にまたがった領域をもつことも可能であり、端末本体１０の立体形状に制約を受けずに領域を設定することができる。
【０１１８】
【発明の効果】
以上説明したように、請求項１、請求項４または請求項５の発明では、立体的外形を有する本体部の表面形状に沿ってフィルム液晶表示手段が取り付けられ、表示領域が幾何学的に区別されているので、さまざまな形状の機器表面に表示装置を取り付けることができる。また、表示領域ごとに区別された画像を表示することで、表示内容が整理される。
【０１１９】
請求項２の発明では、複数の表示領域に個別に画像表示を行わせるので、表示制御の単位が狭くなり、無駄な制御を除外することができる。
【０１２０】
請求項３の発明では、画像メモリの各記憶領域を複数の表示領域に対応させているので、表示領域ごとの個別の画像表示制御が容易に行える。
【０１２１】
請求項６の発明では、ステータス情報を大曲率表示領域に表示させるので、重要な情報を表示する小曲率表示領域を広く確保することができる。
【０１２２】
請求項７の発明では、絵柄画像を小曲率表示領域に優先表示させるので、絵柄画像の表示に歪みがなく（もしくは、歪みが小さく）、絵柄の美観を損なわずに表示することができる。
【０１２３】
請求項８または請求項９の発明では、メール本文またはホームページコンテンツデータを小曲率表示領域に表示するので、主情報である文字情報等が見やすくなる。また、一覧性にも優れている。
【０１２４】
請求項１０の発明では、小曲率表示領域は、平面視で略長方形状としたので、文字情報が一定の列幅で表示され読みやすい。また、画像情報の表示制御が容易となる。
【０１２５】
請求項１１の発明では、小曲率表示領域の面積は、大曲率表示領域の面積より大きく形成したので、絵柄画像の表示が行いやすい。また、文字情報の一覧表示性に優れる。
【０１２６】
請求項１２の発明では、小曲率表示領域にイベントを要求するオブジェクト画像を配置し、タッチパネルを設けているので、ボタンに触れる操作が行いやすい。特に、小曲率表示領域が平面である場合には、操作性に優れている。
【０１２７】
請求項１３の発明では、常時表示する情報を小曲率表示領域に表示するので、小曲率表示領域を最大限有効に利用することができる。
【０１２８】
請求項１４または請求項１５の発明では、表示領域の境界が、操作者の視線の上下に対応する縦方向とは直交する横方向に伸びているので、表示領域に区切りが自然であり、参照性がよい。また、表示領域の境界が文字配列の行方向に伸びているので、境界を挟んで文字情報が表示されている場合であっても、違和感なく読みつづけることができる。また、境界をまたがったスクロール表示の制御も行いやすい。
【０１２９】
請求項１６の発明では、曲率が所定の曲率よりも大きい境界には文字情報を表示させないので、文字画像が歪むことなく、正確に表示することが可能となる。
【０１３０】
請求項１７の発明では、複数の表示領域のうち少なくとも１つの表示領域について、他の表示領域とは独立して情報をスクロールさせるので、他の表示領域の情報を参照しながら、目的の情報をスクロール表示させながら参照することができる。
【０１３１】
請求項１８の発明では、複数の表示領域にまたがって情報をスクロール表示させるので、メール本文などの文字情報の一覧性に優れている。
【０１３２】
請求項１９の発明では、指定された情報を複数の表示領域にまたがって表示させる広画面モードと、特定の１つの表示領域内に表示させる狭画面モードとを切り替えることができるので、目的に応じて画面レイアウトを変更できる。
【０１３３】
請求項２０ないし請求項２２の発明では、表示領域の一部が、電子機器の使用状態において操作者と対面する対面部に配置されているので、操作者が電子機器の手にした時点で自然と目に入る位置に情報を表示することができる。
【図面の簡単な説明】
【図１】本実施の形態の携帯電話の斜視図である。
【図２】同じく側面図である。
【図３】本実施の形態の携帯電話の内部構成を示すブロック図である。
【図４】画像メモリマップを示す図である。
【図５】フィルム液晶表示装置に表示された待機状態を示す図である。
【図６】フィルム液晶表示装置にダイヤル入力表示および着信表示が行われた状態を示す図である。
【図７】フィルム液晶表示装置にメール表示を行った状態を示す図である。
【図８】フィルム液晶表示装置にホームページコンテンツデータを表示した状態を示す図である。
【図９】基本制御フローチャートである。
【図１０】通信状態更新処理のフローチャートである。
【図１１】バッテリ表示更新処理のフローチャートである。
【図１２】時刻更新処理のフローチャートである。
【図１３】ダイヤル処理のフローチャートである。
【図１４】着信処理のフローチャートである。
【図１５】通話処理のフローチャートである。
【図１６】メール表示処理のフローチャートである。
【図１７】常時表示する情報を小曲率表示領域に表示した実施例図である。
【図１８】幅のある境界を持った表示領域の実施例図である。
【図１９】タッチパネルをフィルム液晶表示装置の一部に配した実施例図である。
【図２０】形状の境界以外に表示境界をもつ表示領域を示す図である。
【図２１】形状の境界にまたがった領域をもつ表示領域を示す図である。
【図２２】フィルム液晶表示装置の断面図である。
【符号の説明】
１    携帯電話
１０  端末本体
３１  第一表示領域
３２  第二表示領域
３３  第三表示領域
３４，３５  境界
４０  フィルム液晶表示装置
４１  タッチパネル
【図１】
0004178725.tif 000002
【図２】
0004178725.tif 000003
【図３】
0004178725.tif 000004
【図４】
0004178725.tif 000005
【図５】
0004178725.tif 000006
【図６】
0004178725.tif 000007
【図７】
0004178725.tif 000008
【図８】
0004178725.tif 000009
【図９】
0004178725.tif 000010
【図１０】
0004178725.tif 000011
【図１１】
0004178725.tif 000012
【図１２】
0004178725.tif 000013
【図１３】
0004178725.tif 000014
【図１４】
0004178725.tif 000015
【図１５】
0004178725.tif 000016
【図１６】
0004178725.tif 000017
【図１７】
0004178725.tif 000018
【図１８】
0004178725.tif 000019
【図１９】
0004178725.tif 000020
【図２０】
0004178725.tif 000021
【図２１】
0004178725.tif 000022
【図２２】
0004178725.tif 000023